(57)【特許請求の範囲】
【請求項１】
枠部材上流側の両側板に取り付けた突出片と、前記両側板に回動可能に取り付けた濾材固定棒とからなり、
前記突出片は枠部材上流側の両側板の長さ方向全体に取り付けられた断面L型の板からなり、その一片が両側板内側に突出しており、該突出する一片には係止突起が設けられており、前記枠部材内に装着した濾材の両端部の耳部には、その先端に凹状の係止部が設けられており、
前記突出片の係止突起に濾材端部の耳部に設けた凹状の係止部を引っ掛けると共に前記濾材固定棒を上流側面に平行に回動させることで、前記耳部の凹状の係止部を前記濾材固定棒と前記突出片の係止突起との間に挟み込み、これにより、濾材の枠部材への固定状態を実現するようにしたことを特徴とする濾材交換型フィルタにおける濾材の固定構造。
【請求項２】
濾材固定棒を両側板側に立てたとき、濾材固定棒先端部が回動方向に折れ曲がっていることを特徴とする請求項１記載の濾材交換型フィルタにおける濾材の固定構造。
【請求項３】
濾材固定棒が濾材側に矩形状に折れ曲がっていることを特徴とする請求項１または２記載の濾材交換型フィルタにおける濾材の固定構造。
【請求項４】
濾材固定棒を回動させたとき、前記濾材固定棒が水平方向で止まるようにストッパーが設けられていることを特徴とする請求項１〜３のいずれかに記載の濾材交換型フィルタにおける濾材の固定構造。
【発明の詳細な説明】
【０００１】
【産業上の利用分野】
本発明は濾材交換型フィルタにおける濾材の固定構造に関する。詳細には、止め金具や濾材の取り付け位置が多少ずれていても、簡単にしかも確実に濾材を枠部材に固定することができ、しかも止め金具を取り付けるために枠部材の開口部側にスペースを確保する必要がない濾材交換型フィルタにおける濾材の固定構造に関する。
【０００２】
【従来の技術】
従来、濾材交換型フィルタにおける濾材の固定構造としては、図５に示すように、枠部材上流側の両側板に濾材１両端部に設けた耳部７を掛けるための突出片８を有する側柱４をそれぞれ設けると共に、各側柱４にコ字型の止め金具５をリベットで回動可能に止め付け、前記突出片８に耳部７を掛けた状態で前記止め金具５を回動させて、同止め金具５を耳部７とともに突出片８に嵌め込むことで、濾材１両端部に設けた耳部７が同耳部７の形状に対応する止め金具５のバネ力で側柱４に固定されるようにしたものが提案されている。
【０００３】
【発明が解決しようとする課題】
ところがこの固定構造にあっては、コ字型の止め金具５の形状とそれによって押えられる耳部７の形状が合うように製作されているため、止め金具５の取り付け位置若しくは濾材１両端部の耳部７の位置が多少でもずれた場合には、十分で確実な固定ができなくなることがあった。特に止め金具５の取り付け位置がずれた場合には固定自体が不可能になることがあった。このため、濾材の取り付けに関しては、止め金具５及び濾材１を正確に所定の位置に取り付けなければならないという取り付け位置の制限があった。
【０００４】
またこの固定構造にあっては、止め金具５を取り付けるための側柱４を枠部材上流側の両側板にそれぞれ設ける必要がある。このため、両側の側柱４の幅分だけ枠部材の開口部の面積（間口面積）も狭くなり、その分、フィルタの圧力損失も上昇するという欠点があった。
【０００５】
本発明は、このような事情に鑑みなされたものであり、止め金具や濾材の取り付け位置の制限がなく、取り付け位置が多少ずれていても、簡単にしかも確実に濾材を枠部材に固定することができ、しかも止め金具を取り付けるために枠部材の開口部側にスペースを確保する必要がない濾材交換型フィルタにおける濾材の固定構造を提供することを目的とするものである。
【０００６】
【課題を解決するための手段】
上記目的を達成するため、請求項１記載の発明は、枠部材上流側の両側板に取り付けた突出片と、前記両側板に回動可能に取り付けた濾材固定棒とからなり、
前記突出片は枠部材上流側の両側板の長さ方向全体に取り付けられた断面L型の板からなり、その一片が両側板内側に突出しており、該突出する一片には係止突起が設けられており、前記枠部材内に装着した濾材の両端部の耳部には、その先端に凹状の係止部が設けられており、
前記突出片の係止突起に濾材端部の耳部に設けた凹状の係止部を引っ掛けると共に前記濾材固定棒を上流側面に平行に回動させることで、前記耳部の凹状の係止部を前記濾材固定棒と前記突出片の係止突起との間に挟み込み、これにより、濾材の枠部材への固定状態を実現するようにしたことを特徴とする濾材交換型フィルタにおける濾材の固定構造をその要旨とした。
【０００７】
請求項２記載の発明は、濾材固定棒を両側板側に立てたとき、濾材固定棒先端部が回動方向に折れ曲がっていることを特徴とする請求項１記載の濾材交換型フィルタにおける濾材の固定構造をその要旨とした。
【０００８】
請求項３記載の発明は、濾材固定棒が濾材側に矩形状に折れ曲がっていることを特徴とする請求項１または２記載の濾材交換型フィルタにおける濾材の固定構造をその要旨とした。
【０００９】
請求項４記載の発明は、濾材固定棒を回動させたとき、前記濾材固定棒が水平方向で止まるようにストッパーが設けられていることを特徴とする請求項１〜３のいずれかに記載の濾材交換型フィルタにおける濾材の固定構造をその要旨とした。
【００１０】
【発明の実施の形態】
以下、本発明の濾材交換型フィルタにおける濾材の固定構造を図面に示した形態に従ってさらに詳しく説明する。本発明の濾材交換型フィルタにおける濾材の固定構造（以下、単に固定構造という。）は、図１〜図３に示すように枠部材１３上流側の両側面に設けた突出片１４と、前記両側板１３ｃに回動可能に取り付けた濾材固定棒１５とからなる。
【００１１】
図１に示す突出片１４は、枠部材１３上流側の両側板１３ｃの長さ方向全体に取り付けられた断面Ｌ型の板の先端に係止用突起１４ａを設けたものであり、当該突出片１４の一片が両側板１３ｃ内側に突出し、この突出する一片に設けた係止用突起１４ａに、枠部材１３内に装着した濾材１２両端部の耳部１２ａの凹状の係止部１２ｂが掛けられるようになっている。
【００１２】
尚、突出片１４は、少なくとも耳部１２ａが掛けられる係止用突起１４ａを有するものであれば良く、その形状や大きさは全く自由である。
【００１３】
濾材固定棒１５は、鉄などの金属や硬質プラスチックなどの棒材からなり、その基端部が枠部材１３上流側の両側板１３ｃにリベット１５ｂ止めされた取付板１５ａ内に回動可能に取り付けられている。尚、濾材固定棒１５は棒状に限らず、薄板状とすることもできる。
【００１４】
この濾材固定棒１５の取り付けに必要な幅は、図５に示すような従来の止め金具５を取り付ける場合に比べて、小さな幅となる。例えば高さ６１０ｍｍ×幅６１０ｍｍの外寸の枠部材の場合、従来の止め金具では、これを取り付けるための側注の幅が左右各々４０ｍｍずつ必要で有効な開口幅は８０ｍｍも減少するが、本発明の濾材固定棒を取り付ける場合には、左右各々２５ｍｍあれば十分で有効な開口幅の減少は５０ｍｍとなる。この結果、従来の止め金具を用いた場合に比べて、本発明では、有効な開口面積を大きくとれるので、フィルタの圧力損失をより小さくすることができる。
【００１５】
またこの濾材固定棒１５は、これを図１中矢印方向に回動させたとき、突出片１４に擦れ合うようになっている。このため、この濾材固定棒１５を回動させることで、濾材１２の耳部１２ａに設けた凹状の係止部１２ｂは濾材固定棒１５と突出片１４先端の係止用突起１４ａとの間に挟み込まれ、固定状態が実現されるようになっている。
【００１６】
図２及び図３に示す濾材固定棒１５は、これを両側板１３ｃ側に立てたとき、濾材固定棒先端部１５ｄが回動方向に折れ曲がっている。このため、この濾材固定棒１５を回動させるとき、その先端部１５ｄを指で摘んで操作でき、取り扱い性がよい。
【００１７】
また濾材固定棒１５の基端部には、当該濾材固定棒１５を回動させたとき、前記濾材固定棒１５が水平方向で止まるようにストッパー１５ｃが設けられている。図３に示すストッパー１５ｃは、枠部材１３上流側の両側板１３ｃに水平方向に突出して設けた突片からなり、この突片に回動した濾材固定棒１５の基端部が当たり、その動きを止めて水平状態に保持するようになっている。
【００１８】
尚、濾材固定棒１５は、図４に示すように、濾材側に矩形状に折れ曲がっている形態とすることもできる。この場合、当該濾材固定棒１５を回動させたとき、その折曲部分が突出片１４に擦れ合うようになっている。このため、当該濾材固定棒１５を回動させるのに伴って、その折曲部分が濾材１２の耳部１２ａを突出片１４側（濾材１２側）へと押し付けるようになり、より確実な固定状態が実現されるようになっている。
【００１９】
尚、図１〜図３に示す形態では、濾材固定棒１５を枠部材１３上流側の両側板１３ｃの中央部分に１つずつ取り付けたが、これに限らず例えば、枠部材１３上流側の両側板１３ｃの上部と中央部と下部の３箇所にそれぞれ取り付けるなど、フィルタや濾材の大きさや形状に応じて適宜変更することが出来る。
【００２０】
【発明の効果】
本発明の固定構造にあっては、枠部材上流側の両側板に取り付けた突出片と、前記両側板に回動可能に取り付けた濾材固定棒とからなり、前記突出片は枠部材上流側の両側板の長さ方向全体に取り付けられた断面L型の板からなり、その一片が両側板内側に突出しており、該突出する一片には係止突起が設けられており、前記枠部材内に装着した濾材の両端部の耳部には、その先端に凹状の係止部が設けられており、前記突出片の係止突起に濾材端部の耳部に設けた凹状の係止部を引っ掛けると共に前記濾材固定棒を上流側面に平行に回動させることで、前記耳部の凹状の係止部を前記濾材固定棒と前記突出片の係止突起との間に挟み込み、これにより、濾材の枠部材への固定状態を実現するようにしたので、濾材固定棒や濾材の取り付け位置が多少ずれていても、簡単にしかも確実に濾材を枠部材に固定することができ、しかも止め金具を取り付けるために枠部材の開口部側に大きなスペースを確保する必要がなく、有効な開口面積を大きく取ることができる。
【図面の簡単な説明】
【図１】本発明の固定構造を適用した濾材交換型フィルタを示す正面図。
【図２】同じく一部破断平面図。
【図３】同じく要部拡大正面図。
【図４】本発明の固定構造を適用した濾材交換型フィルタの別例を示す一部破断平面図。
【図５】従来の固定構造を示す拡大正面図。
【符号の説明】
１２・・・濾材
１２ａ・・・耳部
１３・・・枠部材
１３ｃ・・・側板
１４・・・突出片
１４ａ・・・係止突起
１５・・・濾材固定棒
【図１】
0004448991.tif 000002
【図２】
0004448991.tif 000003
【図３】
0004448991.tif 000004
【図４】
0004448991.tif 000005
【図５】
0004448991.tif 000006